(57)【特許請求の範囲】
【請求項１】
発芽や発根した種子（Ｓ）を田圃に直播きする播種機であって、少なくとも前壁（１２）と後壁（１３）を備え，前記種子が上端開口部（１１）から投入されるホッパー（１０）と、前記ホッパーの下端部に設けられ，ホッパー落下口に対して同面が上昇する方向に回転する円筒状の本体部（２１）の外周面に，軸方向に等間隔で，複数のガイド壁（２２）を周設して，隣接する前記ガイド壁の間にガイド溝（２３）を形成し，前記各ガイド溝に周方向に等間隔でずらした位置にガイドピン（２４）を立設し，前記ガイド壁の外周面の後部を，前記ホッパーの前壁の下端に近接または摺接させたローラー（２０）と、前記後壁の直下に横設され，前端部に，その先端が，前記ガイド壁とガイド溝の外周面に近接または摺接する凹部（３１）と凸部（３２）を形成した案内部材（３０）と、を備えることを特徴とする播種機。
【請求項２】
発芽や発根した種子（Ｓ）を田圃に直播きする播種機であって、少なくとも前壁（１２）と後壁（１３）を備え，前記種子が上端開口部（１１）から投入されるホッパー（１０）と、前記ホッパーの下端部に設けられ，ホッパー落下口に対して同面が上昇する方向に回転する円筒状の本体部（２１）の外周面に，軸方向に等間隔で，複数のガイド壁（２２）を周設して，隣接する前記ガイド壁の間にガイド溝（２３）を形成し，前記各ガイド溝に周方向に等間隔でずらした位置にガイドピン（２４）を立設し，前記ガイド壁の外周面の後部を，前記ホッパーの前壁の下端に近接または摺接させたローラー（２０）と、前記後壁の直下に横設され，前端部に，その先端が，前記ガイド壁とガイド溝の外周面に近接または摺接する凹部（３１）と凸部（３２）を形成した案内部材（３０）と、を備え、前記案内部材をブラシまたは弾性材で形成し、前記ホッパーの後壁の下端部を弾性材製の送り壁（１３ａ）とし，該送り壁に近接して設けたカム（１６）によって前後方向に揺動自在としたことを特徴とする播種機。
【発明の詳細な説明】
【技術分野】
【０００１】
本発明は、発芽や発根した種籾などの種子を、芽や根を損傷させることなく、正確に定量ずつ、田圃に直播きすることのできる播種機に関するものである。
【背景技術】
【０００２】
従来、未発芽や未発根の種子を田圃に直播きする播種機には、それらをホッパーに貯留し、ローラーを回転させて一定量ずつ送り出すようにしたものが一般的である。しかし、未発芽や未発根の種子を田圃に直播きした場合、発芽や発根するまでに長い時間を必要とし、例えば、気温が低い場合には発芽や発根せず、腐敗してしまい易い。また、その逆に気温が高い場合には、生育日数が不足してしまい易い。従って、いずれの場合にも、収穫量が低下してしまう。
【０００３】
これに対し、予め発芽や発根させた種子を直播きすると、気温が低い場合でも生育し易く、また、気温が高い場合でも生育日数が足りるので、安定した収穫量を確保することができるといった利点がある。
【０００４】
しかし、発芽や発根した種子を従来の播種機を使用して直播きすると、芽や根がホッパー内で詰まってしまい、安定して送り出すことができないといった問題や、送り出す際に芽や根が損傷し、直播き後に枯死したり、腐敗してしまい易いといった問題がある。
【０００５】
こうした点に鑑み、本発明者は発芽や発根した種子を、芽や根を損傷させることなく直播きすることのできる播種機を開発し、先に出願した（例えば、特許文献１および２参照）。
【０００６】
これらの播種機は、いずれも、発芽や発根した種子を前側板部を備えるホッパーに投入し、その種子を回転するローラーに設けた複数の爪部によって送り出す際に、種子が前側板部とローラーとの間に挟まることがないように構成している。従って、種子の芽や根が損傷させることなく直播きすることができるといった優れた効果を発揮する。
【発明の概要】
【発明が解決しようとする課題】
【０００７】
しかし、これら従来の播種機には、さらに改良すべき点がある。すなわち、種子を回転するローラーの爪部によって送り出す際に、その送り出される種子の量にバラツキが発生してしまう。従って、種子が田圃に不均等に播かれてしまうので、例えば、定量より多くの種子が播かれた箇所では間引き作業を必要とするなどの問題が発生する。
【０００８】
本発明はこうした問題に鑑み創案されたもので、発芽や発根した種籾などの種子を、その芽や根を損傷させることなく、正確に定量ずつ直播きすることのできる播種機を提供することを課題とする。
【課題を解決するための手段】
【０００９】
図１乃至図４を参照して説明する。請求項１に記載の播種機１は、発芽や発根した種子Ｓを田圃に直播きする装置であって、少なくとも前壁１２と後壁１３を備え、前記種子Ｓが上端開口部１１から投入されるホッパー１０を備える。
【００１０】
また、前記ホッパー１０の下端部に設けられ、ホッパー落下口に対して同面が上昇する方向に回転する円筒状の本体部２１の外周面に、軸方向に等間隔で、複数のガイド壁２２を周設して、隣接する前記ガイド壁２２の間にガイド溝２３を形成すると共に、前記各ガイド溝２３に周方向に等間隔でずらした位置にガイドピン２４を立設し、前記ガイド壁２２の外周面の後部を、前記ホッパー１０の前壁１２の下端に近接または摺接させたローラー２０を備える。
【００１１】
さらに、前記後壁１３の直下に横設され、前端部に、その先端が、前記ガイド壁２２とガイド溝２３の外周面に近接または摺接する凹部３１と凸部３２を形成した案内部材３０を備える。
【００１２】
請求項２に記載の播種機１は、発芽や発根した種子Ｓを田圃に直播きする装置であって、少なくとも前壁１２と後壁１３を備え、前記種子Ｓが上端開口部１１から投入されるホッパー１０を備える。
【００１３】
また、前記ホッパー１０の下端部に設けられ、ホッパー落下口に対して同面が上昇する方向に回転する円筒状の本体部２１の外周面に、軸方向に等間隔で、複数のガイド壁２２を周設して、隣接する前記ガイド壁２２の間にガイド溝２３を形成し、前記各ガイド溝２３に周方向に等間隔でずらした位置にガイドピン２４を立設し、前記ガイド壁２２の外周面の後部を、前記ホッパー１０の前壁１２の下端に近接または摺接させたローラー２０を備える。
【００１４】
さらに、前記後壁１３の直下に横設され、前端部に、その先端が、前記ガイド壁２２とガイド溝２３の外周面に近接または摺接する凹部３１と凸部３２を形成した案内部材３０を備える。
【００１５】
そして、前記案内部材３０をブラシまたは弾性材で形成し、さらに、前記ホッパー１０の後壁１３の下端部を弾性材製の送り壁１３ａとし、その送り壁１３ａに近接して設けたカム１６によって前後方向に揺動自在としている。
【発明の効果】
【００１６】
請求項１に記載の発明は、種子Ｓを、田圃に正確に定量ずつ送り出して直播きすることができる。すなわち、ホッパー１０に投入された種子Ｓは、その自重によって複数のガイド溝２３に送り込まれるが、これらのガイド溝２３は、ローラー２０の軸方向に等間隔で形成された複数のガイド壁２２によって形成されたものであり、その幅が同一であるため、送り込まれる種子Ｓの量が一定化する。
【００１７】
また、各ガイド溝２３に送り込まれた種子Ｓは、それぞれのガイドピン２４によって送り出されるが、これらのガイドピン２４は周方向に所定間隔でずらした位置に設けているので、種子Ｓを、田圃の全体にわたって均等に直播きすることができる。
【００１８】
なお、ホッパー１０に投入された種子Ｓはガイド溝２３に送り込まれるが、このガイド溝２３を備えるローラー２０はホッパー落下口に対して同面が上昇する方向に回転するので、当該種子Ｓはガイド溝２３と案内部材３０との間に挟み込まれることがない（図２参照）。従って、種子Ｓの芽や根が損傷することもない。ちなみに、ローラー２０をホッパー落下口に対して同面が下降する方向に回転させると、種子Ｓがガイド溝２３と案内部材３０との間に挟み込まれて損傷してしまうので好ましくない。
【００１９】
請求項２に記載の播種機１は、請求項１に記載の発明と同様に、種子Ｓを定量ずつ田圃の全体にわたって正確に直播きすることができると共に、芽や根を損傷させることもない。
【００２０】
また、案内部材３０をブラシまたは弾性材で形成しているので、その先端がローラー２０に摺接しても自在に弾性変形することができ、よって故障が少なく、性能にも優れる。さらに、案内部材３０をブラシで形成すると、直播きと同時に、回転するローラー２０の外周面に付着した汚れを除去することができる。
【図面の簡単な説明】
【００２１】
【図１】本発明の実施形態に係る播種機をトラクターに連結した状態を示す側面図である。
【図２】本発明の実施形態に係る播種機を示す縦断面図である。
【図３】図２のＸ−Ｘ線断面図である。
【図４】図２のＹ−Ｙ線拡大断面図である。
【発明を実施するための形態】
【００２２】
本発明に係る播種機１の実施形態を、図１乃至図４に示す。この播種機１は、発芽や発根した種子（種籾）Ｓを田圃に直播きする装置であって、ホッパー１０、ローラー２０および案内部材３０を備える。また、この播種機１は、トラクターＴに引かれながら種子Ｓを播くものであり、田圃の地ならしを行うフロートＦと、種子Ｓを地中に埋没させる摺込み部材Ｇを備える。
【００２３】
この播種機１を構成するホッパー１０は、前壁１２、後壁１３、左壁１４および右壁１５と、種子Ｓが投入される上端開口部１１を備える。前壁１２と後壁１３は、それぞれ下方に向かって内方に傾斜させた一般的な形状を有する。前壁１２と後壁１３のそれぞれの背面には、左壁１４と右壁１５に連続する外壁１７を配している。また、下端部には、種子Ｓを集めた状態で送り出すために、送出口１９を有する傾斜壁１８を設けている。
【００２４】
ローラー２０は、ホッパー１０の下端部に設けられ、駆動モーター（図示せず）によって回転軸を中心としてホッパー落下口に対して同面が上昇する方向に回転する円筒状（ドラム状）の本体部２１と、その外周面に一体的に周設され、軸方向に等間隔で設けられた複数（五つ）のガイド壁２２と、隣接するガイド壁２２の間に形成された複数（四つ）のガイド溝２３と、各ガイド溝２３に周方向に等間隔でずらした位置に立設された複数（四本）のガイドピン２４とを備える。
【００２５】
このローラー２０は、そのガイド壁２２の外周面の後部を、ホッパー１０の前壁１２の下端に近接（または軽く摺接）させている。なお、ガイドピン２４の横幅は、ガイド溝２３の幅とほぼ等しく設定し、また、その高さはガイド溝２３の深さとほぼ同じく設定している。こうすることによって、ガイド溝２３に入り込んだ種子Ｓを確実に送り出すと共に、前壁１２と大きく干渉するのを避けている。
【００２６】
案内部材３０は、後壁１３の直下に横設され、前端部に、その先端が、ガイド壁２２の外周面に近接（または軽く摺接）する凹部３１と、ガイド溝２３の外周面に近接（または軽く摺接）する凸部３２を設けている。本実施形態における案内部材３０は、ブラシで構成しているが、これに代えて、弾性変形自在な弾性材で構成することもできる。また、この案内部材３０は、その後端部を支持部材３３に着脱自在に固定している。これにより、取換え自在としている。
【００２７】
また、本実施形態では、ホッパー１０の後壁１３の下端部を弾性材製の送り壁１３ａで構成して弾性変形自在とし、当該送り壁１３ａを、その後側に設けたカム１６によって前後方向に揺動自在としている。送り壁１３ａを前後方向に揺動自在とすることで、案内部材３０の上に溜まった種子Ｓを前方に押してガイド溝２３に案内することができる。なお、カム１６は、ローラー２０を駆動するモーターによって回転させることができる。
【００２８】
本実施形態に係る播種機１は、次のように作動する。まず、所定量の種子Ｓをホッパー１０に投入する。投入された種子Ｓは、前壁１２および後壁１３の傾斜に沿って落下し、その一部が案内部材３０の上に溜まると共に、ローラー２０に形成された複数のガイド溝２３のそれぞれに入り込む。このとき、各ガイド溝２３の幅は、ガイド壁２２によって一定に設定されているので、ガイド溝２３には、常に一定量の種子Ｓが入り込む。
【００２９】
ガイド溝２３に入り込んだ溝は、当該ガイド溝２３に立設され、ローラー２０の回転と共に周回するガイドピン２４によって掬い上げられ、そのまま回転移動してローラー２０の前側に達し、そこから自重で落下する。こうした動作の連続により、ホッパー１０内の種子Ｓは、順次、定量ずつ田圃に播かれる。
【００３０】
なお、この際、ローラー２０はホッパー落下口に対して同面が上昇する方向に回転するので、当該種子Ｓはガイド溝２３と案内部材３０との間に挟み込まれることがない。従って、種子Ｓの芽や根が損傷することもない。
【００３１】
また、各ガイド溝２３に設けられた各ガイドピン２４は、ローラー２０の周方向に等間隔でずらした位置に立設されているので、種子Ｓが、異なるガイド溝２３から同時に田圃に送り出されることがない。従って、種子Ｓを、田圃の全体にわたって均等に播くことができる。
【００３２】
このように、本実施形態に係る播種機１は、種子Ｓを、同一の幅を有する複数のガイド溝２３を介して送り出すので、常に正確に定量ずつ送り出すことができる。また、案内部材３０をブラシで形成しているので、その先端がローラー２０に摺接しても自在に弾性変形することができ、よって故障が少なく、性能にも優れる。さらに、直播きと同時に、回転するローラー２０の外周面に付着した汚れを除去することができる。
【符号の説明】
【００３３】
１          播種機
１０        ホッパー
１１        上端開口部
１２        前壁
１３        後壁
１３ａ      送り壁
１４        左壁
１５        右壁
１６        カム
１７        外壁
１８        傾斜壁
１９        送出口
２０        ローラー
２１        本体部
２２        ガイド壁
２３        ガイド溝
２４        ガイドピン
２５        回転軸
３０        案内部材
３１        凹部
３２        凸部
３３        支持部材
Ｆ          フロート
Ｇ          摺込み部材
Ｓ          種子
Ｔ          トラクター
【先行技術文献】
【特許文献】
【００３４】
【特許文献１】特開平６−１３３６０６号公報
【特許文献２】特開平９−３０８３２０号公報
【図１】
0005470112.tif 000002
【図２】
0005470112.tif 000003
【図３】
0005470112.tif 000004
【図４】
0005470112.tif 000005